(57)【要約】  増水した河川の流水により胴込め材が洗堀されるのを防止すること。  上面に開口部を有しかつ内部に胴込め空間を有する複数の擁壁ブロックを階段状に段積みして、下段に位置する擁壁ブロックの開口部の一部が外部空間に直面するように構築する擁壁構造であって、胴込め空間内に充填した胴込め材が外部空間と直面しないように、外部空間と直面する胴込め空間の上層部には洗掘防止材としての塊状物を詰め込むとともに、塊状物の最大径は外部空間に直面する擁壁ブロックの開口部の一部の前後幅よりも大となすことで、塊状物が開口部を通して外部に流出されるのを防止した。
2011152495.tif 000002
【特許請求の範囲】
【請求項１】
上面に開口部を有しかつ内部に胴込め空間を有する複数の擁壁ブロックを階段状に段積みして、下段に位置する擁壁ブロックの上面の一部が外部空間に直面するように構築する擁壁構造であって、
胴込め空間内に充填した胴込め材が外部空間と直面しないように、外部空間と直面する胴込め空間の上層部には洗掘防止材としての塊状物を詰め込むことで、胴込め材が洗掘されるのを防止したことを特徴とする擁壁構造。
【請求項２】
塊状物の最大径は外部空間に直面する擁壁ブロックの開口部の一部の前後幅よりも大となすことで、塊状物が開口部を通して外部に流出されるのを防止したことを特徴とする請求項１記載の擁壁構造。
【請求項３】
胴込め材としては、保水性を有して客土材としても機能する粒径材を使用したことを特徴とする請求項２記載の擁壁構造。
【請求項４】
胴込め空間の上層部には複数の塊状物を詰め込むことで隙間を形成して、外部空間と胴込め材が充填された空間を連通する屈曲連通路となしたことを特徴とする請求項１〜３のいずれか１記載の擁壁構造。
【請求項５】
上面に開口部を有しかつ内部に胴込め空間を有する擁壁ブロックは、少なくとも前・後壁と両前・後壁を連結する連結体とを具備し、
胴込め空間の上部には前壁の上部と対向させて仕切体を配置して、仕切体と前壁の上部との間に洗掘防止空間を形成したことを特徴とする請求項４記載の擁壁構造。
【請求項６】
上段の擁壁ブロックの前壁下端部は、直下段の擁壁ブロック内に配設した仕切体上に上下重合状態に配置するとともに、前壁下端部により洗掘防止空間の開口上面を一部閉塞したことを特徴とする請求項５項記載の擁壁構造。
【請求項７】
擁壁ブロックの前壁は、前低後高の後傾板状となしたことを特徴とする請求項５又は６項記載の擁壁構造。
【請求項８】
洗掘防止空間の開口上面より流入した雨水等は、洗掘防止空間を通して胴込め空間に流入し、直下段の擁壁ブロックの胴込め空間に順次流入するようにしたことを特徴とする請求項５又は６項記載の擁壁構造。
【請求項９】
請求項５〜８のいずれか１項記載の擁壁構造を構築する植栽可能な擁壁構築法であって、
植物を擁壁ブロック内に配置する工程と、
植物を配置した状態で客土空間内に客土材を所定の高さまで充填する工程と、
客土材上に仕切体を配置して洗掘防止空間を形成する工程と、
残余の客土空間内に客土材を充填する工程と、
洗掘防止空間内に洗掘防止材として複数の塊状部を詰め込む工程と、
を有することを特徴とする植栽可能な擁壁構築法。
【請求項１０】
請求項５〜８のいずれか１項記載の擁壁構造を構築する植栽可能な擁壁構築法であって、
客土空間内に客土材を所要の高さまで充填する工程と、
植物を擁壁ブロック内の客土材上に配置する工程と、
植物を配置した状態で残余の客土空間内に客土材を所定の高さまで充填する工程と、
客土材上に仕切体を配置して洗掘防止空間を形成する工程と、
残余の客土空間内に客土材を充填する工程と、
洗掘防止空間内に洗掘防止材として複数の塊状部を詰め込む工程と、
を有することを特徴とする植栽可能な擁壁構築法。
【請求項１１】
請求項５〜８のいずれか１項記載の擁壁構造を構築する植栽可能な擁壁構築法であって、
客土空間内に客土材を所定の高さまで充填する工程と、
客土材上に仕切体を配置して洗掘防止空間を形成する工程と、
残余の客土空間内に客土材を充填する工程と、
植物を洗掘防止空間を通して擁壁ブロック内の客土材中に差し込む工程と、
洗掘防止空間内に洗掘防止材として複数の塊状部を詰め込む工程と、
を有することを特徴とする植栽可能な擁壁構築法。
【発明の詳細な説明】
【技術分野】
【０００１】
本発明は、擁壁構造及び植栽可能な擁壁構築法、詳しくは客土材の洗掘・流出を防止するとともに、動植物等の生育空間及び小動物等の移動空間を有する擁壁の構造と、植栽と同時に擁壁を構築する工法に関する技術。
【背景技術】
【０００２】
従来、擁壁構造の一形態として、特許文献１に開示されたものがある。すなわち、特許文献１では、前・後壁と両前・後壁を連結する連結体とを具備して上・下面開口状の胴込め空間を有する擁壁ブロックが開示されている。それは複数の擁壁ブロックを、下段の擁壁ブロックの上面前部が開口して外部と連通するように階段状に段積みして擁壁を構築している。そして、これらの擁壁ブロックの胴込め空間の内上面前部が開口して外部と連通する前部の空間に客土材を充填することで、自然植生による緑化を図っている。
【先行技術文献】
【特許文献】
【０００３】
【特許文献１】特開平８−１２０６９３号公報
【発明の概要】
【発明が解決しようとする課題】
【０００４】
しかしながら、前記した擁壁構造が護岸擁壁として機能しなくなる場合がある。それは河川が増水した際に、客土領域に浸入した流水によって客土が洗掘され、さらに洗掘された客土の流出により胴込め空間内の胴込め材が流出して、最悪の場合には擁壁が崩壊する虞が生じるためである。これらの解決策として種々の対策が試みられているが、施工が煩雑になるだけで客土材の洗掘・流出を防止することはできていない。【０００５】
本発明は、前記した課題に鑑みてなされたものであり、簡易構造にして胴込め材ないしは客土材の洗掘・流出を防止するとともに、動植物等の生育空間及び小動物等の移動空間を有する擁壁構造、及び植栽と同時に擁壁を構築する植栽可能な擁壁構築法を提供することを目的とする。
【課題を解決するための手段】
【０００６】
請求項１記載の発明に係る擁壁構造は、上面に開口部を有しかつ内部に胴込め空間を有する複数の擁壁ブロックを階段状に段積みして、下段に位置する擁壁ブロックの上面の一部が外部空間に直面するように構築する擁壁構造であって、胴込め空間内に充填した胴込め材が外部空間と直面しないように、外部空間と直面する胴込め空間の上層部には洗掘防止材としての塊状物を詰め込むことで、胴込め材が洗掘されるのを防止することを特徴とする。【０００７】
かかる擁壁構造では、洗掘防止材としての塊状物、例えば、くり石やコンクリートガラを胴込め空間の上層部に詰め込むことにより、胴込め材が外部空間と直面しない構造としている。従って、河川が増水した場合にも洗掘防止材としての塊状物により胴込め材が洗堀されるのを防止することができる。【０００８】
請求項２記載の発明に係る擁壁構造は、請求項１記載の発明に係る擁壁構造であって、塊状物の最大径を外部空間に直面する擁壁ブロックの開口部の一部の前後幅よりも大となすことで、塊状物が開口部を通して外部に流出されるのを防止したことを特徴とする。【０００９】
かかる擁壁構造では、塊状物の最大径は外部空間に直面する擁壁ブロックの開口部の一部の前後幅よりも大となすことで、河川が増水した場合にも塊状物が開口部を通して外部に流出されるのを防止している。これは、流水に流出され難いサイズの塊状物で外部と直面する胴込め空間の上層部を層状に被覆することにより、河川が増水した場合にも、河川の流水で胴込め材が洗堀されるのを防止するものである。その結果、上層部に詰め込まれた塊状物によって下層部の胴込め材が洗堀されるのを堅実に防止することができる。ここで、塊状物の最大径とは、塊状物１個の最長軸の長さ（最長径ないしは最大寸法）をいう。【００１０】
請求項３記載の発明に係る擁壁構造は、請求項２記載の発明に係る擁壁構造であって、胴込め材としては、保水性を有して客土材としても機能する粒径材を使用したことを特徴とする。【００１１】
かかる擁壁構造では、外部空間と直面する胴込め空間の上層部に洗掘防止材としての塊状物を詰め込むことにより、粒径材で充填された胴込め空間を洗掘されない空間となすことができる。しかも、粒径材は保水性を有して客土材としても機能する。換言すると、擁壁としての重要な役割を担う胴込め材に保水・排水性を有する粒径材を用いることで、粒径材が胴込め材としての役割を果たすだけでなく、客土材としての役割も同時に果たすことができる。つまり、胴込め材の役割を担う粒径材が客土材の代用材としての役割も果たすようにすることができる。その結果、擁壁ブロックは、植栽ブロックとしての生育機能を併せもつ高付加価値の護岸ブロックとなる。【００１２】
請求項４記載の発明に係る擁壁構造は、請求項１〜３のいずれか１記載の擁壁構造であって、胴込め空間の上層部には複数の塊状物を詰め込むことで隙間を形成して、外部空間と胴込め材が充填された空間を連通する屈曲連通路となしたことを特徴とする。【００１３】
かかる擁壁構造では、胴込め空間の上層部に複数の塊状物を詰め込むことで形成される屈曲連通路の形状は、屈曲連通路内に存在する樹木(幹径）の成長に準じて柔軟に対応しながら変形することができる。つまり、樹木(幹径）の成長に準じて柔軟に変形される。例えば、樹木が成長して幹径が太くなると、幹回りの屈曲連通路の隙間が窮屈になって、やがて樹木の幹部が各塊状物を周囲に押しやって屈曲連通路が少しずつ(大径に)変形される。換言すると、屈曲連通路は固定化されていないため、樹木の生育が阻害される虞が極めて低い。仮に、連通路をコンクリートで形成した場合は、孔径が変形しないため樹木の生育が阻害される虞が極めて高い。【００１４】
請求項５記載の発明に係る擁壁構造は、請求項４記載の擁壁構造であって、上面に開口部を有しかつ内部に胴込め空間を有する擁壁ブロックは、少なくとも前・後壁と両前・後壁を連結する連結体とを具備し、胴込め空間の上部には前壁の上部と対向させて仕切体を配置して、仕切体と前壁の上部との間に洗掘防止空間を形成したことを特徴とする。【００１５】
かかる擁壁構造では、胴込め材として保水性を有する客土材を用いる際には、胴込め空間が客土空間となる。そして、胴込め空間を洗堀防止空間と客土空間とに仕切る仕切体は、仕切体の背後において客土空間内に充填された客土材が洗堀防止空間の屈曲連通路を通して外部に吸い出されるのを防止することができる。（吸い出し防止効果）。なお、客土材には成り得ない単粒度砕石（例えば１３ｍｍ〜２０ｍｍ）においては屈曲連通路内に吸い出しされることがないため、施工上の不便さを除けば必ずしも仕切体を必要とはしない。【００１６】
請求項６記載の発明に係る擁壁構造は、請求項５記載の擁壁構造であって、上段の擁壁ブロックの前壁下端部は、仕切体上に上下重合状態に配置するとともに、前壁下端部により洗掘防止空間の開口上面を一部閉塞したことを特徴とする。【００１７】
かかる擁壁構造では、上段の擁壁ブロックの前壁下端部により洗掘防止空間の開口上面を一部閉塞することにより、この一部閉塞した前壁下端部の底面で直接又は間接的に塊状物の上面を覆うことができて、塊状物の流出を確実に防止することができる。その結果、胴込め材が洗堀・流出されるのを堅実に防止することができる。【００１８】
請求項７記載の発明に係る擁壁構造は、請求項５又は６記載の擁壁構造であって、擁壁ブロックの前壁は、前低後高の後傾板状となしたことを特徴とする。【００１９】
かかる擁壁構造では、擁壁ブロックの前壁を、前低後高の後傾状となしているため、開口上面の前後の間隔を従来の垂直状の前壁を具備する擁壁ブロックに比して、傾斜板状となした前壁の平面投影前後幅だけ小さく設定することができる。そのため、洗掘防止空間を上方に向かって漸次幅狭の空間となすことができる。その結果、洗掘防止空間内に詰め込んだ複数の塊状物が増水した河川により洗掘防止空間の開口上面から流出されるのをより堅実に防止することができる。また、傾斜板状となした前壁にはその外面に沿って雨水等が流下して、開口上面を通して洗掘防止空間内さらには客土空間内に円滑かつ堅実に流入するため、擁壁ブロック内の植生機能を良好に確保するとことができる。更に、植栽した擁壁ブロックの直上方に段積みした擁壁ブロックの前壁は、前低後高に後傾しているため、植物が成長するために必要な外部空間が拡大されることになって、植物の成長ゾーンをより広く確保することができる。【００２０】
請求項８記載の発明に係る擁壁構造は、請求項５又は６記載の擁壁構造であって、洗掘防止空間の開口上面より流入した雨水等は、洗掘防止空間を通して胴込め空間に流入し、直下段の擁壁ブロックの胴込め空間に順次流入するようにしたことを特徴とする。【００２１】
かかる擁壁構造では、各擁壁ブロックの洗掘防止空間内に流入した雨水等が、胴込め空間内→直下段の擁壁ブロックの胴込め空間内→さらにその直下段の擁壁ブロックの胴込め空間内に排水できるようにしている。その結果、胴込め空間内の客土は良好な保水・排水・通気性を確保して、より良い植生機能を維持することができる。【００２２】
請求項９記載の発明に係る植栽可能な擁壁構築法は、請求項５〜８のいずれか１項記載の擁壁構造を構築する植栽可能な擁壁構築法であって、植物を擁壁ブロック内に配置する工程と、植物を配置した状態で客土空間内に客土材を所定の高さまで充填する工程と、客土材上に仕切体を配置して洗掘防止空間を形成する工程と、残余の客土空間内に客土材を充填する工程と、洗掘防止空間内に洗掘防止材として複数の塊状部を詰め込む工程と、を有することを特徴とする。【００２３】
かかる植栽可能な擁壁構築法では、擁壁の構築において、客土材を充填する際には、あらかじめ植栽用の植物を擁壁ブロック内に配置することにより、胴込め材の充填作業と植栽作業とを同時に進行させることができる。その結果、植栽に要する時間とコストを大幅に削減することができる。ここで、植栽用の植物としては、例えば、ネコヤナギ等が育成できる。【００２４】
請求項１０記載の発明に係る植栽可能な擁壁構築法は、請求項５〜８のいずれか１項記載の擁壁構造を構築する植栽可能な擁壁構築法であって、客土空間内に客土材を所要の高さまで充填する工程と、植物を擁壁ブロック内の客土材上に配置する工程と、植物を配置した状態で残余の客土空間内に客土材を所定の高さまで充填する工程と、客土材上に仕切体を配置して洗掘防止空間を形成する工程と、残余の客土空間内に客土材を充填する工程と、洗掘防止空間内に洗掘防止材として複数の塊状部を詰め込む工程と、を有することを特徴とする。【００２５】
かかる植栽可能な擁壁構築法では、植栽する植物の茎の長さ（丈）が擁壁ブロックの前壁の高さよりも短い場合には、あらかじめ客土空間内に客土材を所要の高さまで充填して植物を配置することにより、（丈）の高さが低い植物の植栽と生育環境を提供することができる。【００２６】
請求項１１記載の発明に係る植栽可能な擁壁構築法は、請求項５〜８のいずれか１項記載の擁壁構造を構築する植栽可能な擁壁構築法であって、客土空間内に客土材を所定の高さまで充填する工程と、客土材上に仕切体を配置して洗掘防止空間を形成する工程と、残余の客土空間内に客土材を充填する工程と、植栽する植物を客土材の中に差し込む工程と、洗掘防止空間内に洗掘防止材として複数の塊状部を詰め込む工程と、を有することを特徴とする。【００２７】
かかる植栽可能な擁壁構築法では、植栽する植物の茎の長さ（丈）が擁壁ブロックの前壁の高さよりもかなり短い場合にでも、植栽する植物を洗掘防止空間の直下の客土材中に差し込むことにより、これらの植物の植栽と生育環境を提供することができる。
【発明の効果】
【００２８】
本発明は、次のような効果を奏する。すなわち、擁壁構造を護岸擁壁として適用した場合に、増水した河川の流水によって客土材が洗掘・流出されるのを塊状物により防止することができる。その結果、構造簡易にして客土材の洗掘・流出防止効果を堅実に維持することができる。しかも、塊状物を詰め込むことで、動植物等の生物の生育空間及び小動物等の移動空間を確保することができため、擁壁の緑化を堅実に図ることができて、生物環境を良好に整えることができる。この場合、胴込め空間内には胴込め材として保水性を有する粒径材を充填して、外部空間と直面する胴込め空間の上層部に塊状物を詰め込む。
【図面の簡単な説明】
【００２９】
【図１】本発明に係る擁壁の断面側面説明図。
【図２】本発明に係る擁壁の平面説明図。
【図３】植生用の擁壁ブロックのブロック本体の正面図。
【図４】植生用の擁壁ブロックのブロック本体の背面図。
【図５】植生用の擁壁ブロックのブロック本体の平面図。
【図６】植生用の擁壁ブロックのブロック本体の側図。
【図７】植生用の擁壁ブロックのブロック本体の断面側面図。
【図８】植栽施工説明図（１）。
【図９】植栽施工説明図（２）。
【図１０】植栽施工説明図（３）。
【発明を実施するための形態】
【００３０】
以下に、本発明の実施形態を、図面を参照しながら説明する。
図１に示すＹは、本発明に係る護岸用の擁壁であり、魚巣用の擁壁ブロックＡ１と植生用の擁壁ブロックＡ２とを、基礎部Ｂ上に階段状に段積みすることにより構築している。Ｎは植生用の擁壁ブロックＡ２に植生させた植物としてのネコヤナギである。
【００３１】
擁壁Ｙは、図１及び図２に示すように、河床Ｋ１の地盤中に基礎部Ｂを配設し、基礎部Ｂの一部を形成する最下段の魚巣用の擁壁ブロックＡ１を基礎固めのために敷設し、この擁壁ブロックＡ１の上に平常水位以下の河川Ｋ２中及び河床Ｋ１の下に一段ないしは複数段（本実施の形態では二段）の魚巣用の擁壁ブロックＡ１を段積みし、さらにその上に複数段の植生用の擁壁ブロックＡ２を階段状に段積みして構築している。ここで、各擁壁ブロックＡ１,Ａ２は上・下面に上・下面開口部１２,１３を有しかつ内部に胴込め空間Ｓ１を有している（図７参照）。
【００３２】
そして、擁壁Ｙは、下段に位置する擁壁ブロックＡ２の上面の一部、つまり、上面開口部１２の一部が外部空間である直上方空間Ｓ５に直面するように段積みするとともに、各擁壁ブロックＡ２内には胴込め材としての粒径材Ｄ２を充填して、空積擁壁を形成している。この際、直上方空間Ｓ５と直面する胴込め空間Ｓ１の上層部には洗掘防止材としての塊状物Ｄ１、例えば、砕石やぐり石やコンクリートガラを詰め込んで、胴込め空間Ｓ１内に充填した粒径材Ｄ２が直上方空間Ｓ５と直面しないようにしている。ここで、塊状物Ｄ１の最大径は外部空間に直面する擁壁ブロックＡ２の上面の一部の前後幅Ｗ１よりも大となすことで、塊状物Ｄ１が外部に流出されるのを防止している。これは、流水により流出されない塊状物Ｄ１により直上方空間Ｓ５と直面する胴込め空間Ｓ１の上層部を層状に被覆することで、河川Ｋ２が増水した場合にも、河川Ｋ２の流水で粒径材Ｄ２が洗堀されるのを防止するためである。
【００３３】
より具体的に説明すると、魚巣用の擁壁ブロックＡ１と植生用の擁壁ブロックＡ２は、図１に示すように、それぞれ共通形態のブロック本体１を有している。魚巣用の擁壁ブロックＡ１は、ブロック本体１の前壁４に水生動物が出入り可能な孔１８を適宜形成して、魚巣機能を向上させるようにしている。植生用の擁壁ブロックＡ２は、ブロック本体１の左・右側壁６,７の上部間に仕切体３を架設状に組み付けて、洗掘防止空間Ｓ２を形成している。つまり、仕切体３と、その前方に対向する前壁４の上部と、左・右側壁６,７の上部とで周囲を囲まれて上下面が開口する空間を洗掘防止空間Ｓ２となしている。洗掘防止空間Ｓ２には複数の塊状物Ｄ１を詰め込むことで隣接する複数の塊状物Ｄ１間に隙間を形成して、直上方空間Ｓ５と粒径材Ｄ２が充填された空間（後述する客土空間Ｓ３）とを連通する屈曲連通路Ｓ４となしている。
【００３４】
魚巣用の擁壁ブロックＡ１の胴込め空間Ｓ１内には、胴込め材としての塊状物Ｄ１、例えば、その最小径が５０ｍｍ〜２００ｍｍのぐり石を充填するとともに、これらの魚巣用の擁壁ブロックＡ１の背後に同じ塊状物Ｄ１を裏込め材として充填している。充填された塊状物同士の間に形成される間隙は、魚や甲殻類の生息空間として利用される。
【００３５】
植生用の擁壁ブロックＡ２の洗堀防止空間Ｓ２内には、塊状物Ｄ１を詰め込んでいる。塊状物Ｄ１としては、例えば、その最小径が５０ｍｍ〜１５０ｍｍのぐり石が使用に好適である。ここで、最小径が５０ｍｍよりも小さい塊状物Ｄ１は、流出されやすく洗掘防止機能に劣るので使用に不適である。また、最小径が１５０ｍｍよりも大きい塊状物Ｄ１は、それらにより形成される屈曲連通路Ｓ４の径が大きくなって、粒径材Ｄ２が屈曲連通路Ｓ４を通して外部に吸い出される虞があるので使用に不適である。
【００３６】
植生用の擁壁ブロックＡ２の胴込め空間Ｓ１内には、洗掘防止空間Ｓ２を除いて、胴込め材としての粒径材Ｄ２を充填している。つまり、胴込め材としては、保水性を有して客土材としても機能する粒径材Ｄ２、例えば、その最小径が１／１６ｍｍ〜４０ｍｍの砕石が使用に好適である。また、擁壁ブロックＡ２の背後には同じ粒径材Ｄ２を裏込め材として充填している。ここで、最小径が４０ｍｍよりも大きい粒径材Ｄ２は保水性が極端に少なくなるので使用に不適である。また、最小径ないしは粒径が１／１６ｍｍよりも小さいものは泥（粘土とシルト）といわれるものであり、植生には不適である。
【００３７】
本実施形態では、上記基礎部Ｂとその上に載設される最下段の擁壁ブロックＡ１との間に、基礎部用滑動抵抗体２３を配設して、基礎部用滑動抵抗体２３により最下段の擁壁ブロックＡ１の滑動を防止している。また、その擁壁ブロックＡ１の上に段積みする擁壁ブロックＡ１との間に、境界部用滑動抵抗体３０を配設して、境界部用滑動抵抗体３０により上段の擁壁ブロックＡ１の滑動抵抗力を強化している。同様に、その上に段積みする各擁壁ブロックＡ１，Ａ１との間、及び、各擁壁ブロックＡ１，Ａ２との間、及び、各擁壁ブロックＡ２，Ａ２との間に、それぞれ境界部用滑動抵抗体３０を配設して、各境界部用滑動抵抗体３０により上段の擁壁ブロックＡ１ないしは擁壁ブロックＡ２の滑動抵抗力を強化している。
【００３８】
以下に、説明の便宜上、まず、ブロック本体１の構成について説明し、その後に、滑動防止構造を具備する擁壁Ｙの構造及び構築方法について説明する。
【００３９】
〔ブロック本体１の構成〕
ブロック本体１は、図３〜図７に示すように、四角形板状の前・後壁４,５と左・右側壁６,７とから上・下面開口の四角形筒状に形成しており、後壁５は、前壁４の高さの半分よりも低く形成している。
【００４０】
ブロック本体１の下端面は、水平積みすべく水平面に形成し、前壁４は横長四角形板状に形成するとともに、前壁４にブロック本体１の下端面に対して、前低後高の後傾状となした勾配θを設けている。本実施形態では、前壁４を略均一肉厚板となして外面を２分勾配としている。そして、後壁５も前壁４に略平行させて前低後高の後傾状となしている。
【００４１】
左・右側壁６,７は、後壁５の前面下端から垂直上方に立ち上げた仮想線位置まで前壁４と同一高さの前部天端面６a,７aを形成するとともに、仮想線位置にて略垂直後端面６b,７bを形成している。略垂直後端面６b,７bの下端を後壁５の上端面と同一高さ位置に配置して、この同一高さ位置に後壁５と連続する後部天端面６c,７cを形成している。このように形成して、後壁５の上方に、略垂直後端面６b,７bと後部天端面６c,７cとから切り欠き状の段付き凹部６d,７dを形成している。
【００４２】
ブロック本体１の左・右側壁６,７の内側面には、図４,６及び７に示すように、前上部位置において、上方と内方とが開口する支持部としての段付き嵌合用凹部１６,１７を側面視逆台形状に形成している。両段付き嵌合用凹部１６,１７には、左右方向に伸延する横長四角形板状に形成した仕切体３の左右側端部を上方から抜き差し自在に嵌合させて、仕切体３を横架している。仕切体３は、胴込め空間Ｓ１の上部において、前壁４の上部と前後略平行に対向させて配置している。仕切体３の上面は、ブロック本体１の上面と面一状態となしている。そして、仕切体３の上面には、直上段に段積みしたブロック本体１の前壁４の下端面が上下重合状態に当接するようにしている。そうすることで、直上段のブロック本体１内の粒径材Ｄ２が、下段のブロック本体１の洗掘防止空間Ｓ２内に落下・流入するのを防止している。
【００４３】
胴込め空間Ｓ１内には、その前側上部位置に前記した洗掘防止空間Ｓ２を形成しており、その洗掘防止空間Ｓ２の上下幅は仕切体３の上下幅Ｈで決定される。洗掘防止空間Ｓ２内に塊状物Ｄ１を詰め込む一方、残余の胴込め空間Ｓ１内に粒径材Ｄ２を充填する。本実施形態では、残余の胴込め空間Ｓ１は、その内部に保水性を有する粒径材Ｄ２を客土材として充填することで客土空間Ｓ３となしている。ここで、洗掘防止空間Ｓ２を形成する仕切体３と前壁４の内面上端縁部との間の前後幅Ｗ２は、塊状物Ｄ１の最小径の２倍〜４倍となしている。仕切体３の上下幅Ｈは、塊状物Ｄ１の最小径の２倍〜４倍となしている。そうすることで、洗掘防止空間Ｓ２内には、可及的に複数の塊状物Ｄ１が前後方向及び上下方向に詰め込まれるようにして、洗掘防止空間Ｓ２における洗掘防止効果を実現するとともに、屈曲連通路Ｓ４の伸延長及び数を確保することで動植物等の生物の生育空間及び小動物等の移動空間を確保して良好な生物環境を創生している。
【００４４】
胴込め空間Ｓ１を洗堀防止空間Ｓ２と客土空間Ｓ３に仕切る仕切体３は、仕切体３の背後において客土空間Ｓ３内に充填される客土材が洗堀防止空間Ｓ２の屈曲連通路Ｓ４を通して外部に吸い出されるのを防止する（吸い出し防止効果）。なお、客土材には成り得ない単粒度砕石（例えば１３ｍｍ〜２０ｍｍ）においては、屈曲連通路内に吸い出しされることがないため、施工上の不便さを除けば必ずしも仕切体３は必要としない。つまり、本実施形態では胴込め材として保水性を有する細かな粒径材（1ｍｍ以下の割合が50％以上）を客土材として採用しているため仕切体３を配置しているが、客土材ではなく胴込め材として1０ｍｍ以上の粒径材を用いる場合は、必ずしも仕切体３を配置しなくてもよい。仕切体３を配置しない場合は、洗掘防止空間Ｓ２内に詰め込む塊状物Ｄ１の層の厚さで洗掘防止空間Ｓ２の上下幅が決定される。そして、洗掘防止空間Ｓ２の前後幅は、少なくとも、下段のブロック本体１の前壁４の内面上端縁部から直上段に載設されるブロック本体１の前壁４の内面下端縁部の位置までとする。そうすることで、直上段のブロック本体１内の粒径材Ｄ２が、下段のブロック本体１の洗掘防止空間Ｓ２内に落下・流入するという不具合の発生を防止することができる。
【００４５】
図１及び図２に示すように、ブロック本体１を背後地面に沿わせて階段状に段積みして擁壁Ｙを構築する際には、下段のブロック本体１の前壁４の内面上端縁部と、上段に段積みしたブロック本体１の前壁４の外面下端縁部との間に一定の間隔Ｗ１を開けて、下段のブロック本体１の上面開口部１２の前部を部分的に開放させることで、開放部１４を形成する。ここで、開放部１４の間隔Ｗ１は、洗掘防止空間Ｓ２内に詰め込む塊状物Ｄ１の最大径よりも小間隔となして、塊状物Ｄ１が開放部１４を通して流出しないようにする。
【００４６】
この際、各ブロック本体１の前壁４は、勾配θを有する前低後高の後傾状となしているため、開放部１４の前後の間隔Ｗ１は、従来の垂直状の前壁を具備する擁壁ブロックに比して、勾配θを有する前壁４の平面投影前後幅Ｗ３（図７参照）だけ小さく設定することができる。
【００４７】
その結果、洗掘防止空間Ｓ２は上方に向かって漸次幅狭の空間となすことができる。そのため、洗掘防止空間Ｓ２内に詰め込んだ複数の塊状物Ｄ１が増水した河川Ｋ２により開放部１４を通してブロック本体１の外部へ流出されるのを防止することができる。
【００４８】
また、勾配θを有する前壁４には、その外面に沿って雨水等が円滑かつ堅実に流下して、開放部１４を通して洗掘防止空間Ｓ２内に流入するように構成している。そして、各ブロック本体１の洗掘防止空間Ｓ２内に流入した雨水等は、客土空間Ｓ３内→直下段のブロック本体１の客土空間Ｓ３内→さらにその直下段のブロック本体１の客土空間Ｓ３内に流入し、順次最下段のブロック本体１の客土空間Ｓ３内まで流入するように構成している。その結果、客土空間Ｓ３内の客土は良好な保水・排水・通気性を確保して、より良い植生機能を維持することができる。
【００４９】
直上段に配置されるブロック本体１の前壁４の下端面部は、下段のブロック本体１に配置した仕切体３上に載設されるとともに、洗掘防止空間Ｓ２の開放部１４を部分的に閉塞している。つまり、仕切体３と前壁４の内面上端縁部との間の前後幅Ｗ２＞開放部１４の前後の間隔Ｗ１となしている。そして、開放部１４の前後の間隔Ｗ１＜塊状物Ｄ１の最大径となしている。
【００５０】
このように構成することで、上段のブロック本体１の前壁４の下端前縁部４ａにより洗掘防止空間Ｓ２の開口上面を一部閉塞することにより、この一部閉塞した前壁４の下端部の底面で直接又は間接的に塊状物の上面を覆うことができる。その結果、河川Ｋ２が増水した場合にも、直上段に配置されるブロック本体１の前壁４の下端前縁部４ａにより、洗掘防止空間Ｓ２内に詰め込んだ塊状物Ｄ１が開放部１４からブロック本体１の外部へ流出されるのをより堅実に防止することができる。そして、胴込め材が洗堀・流出されるのを堅実に防止することができる。
【００５１】
左・右側壁６,７の外側面の前部には、図５及び図６に示すように、左右間隔保持片としての接合部８,９を外側方へ膨出させかつ上下方向に伸延させて形成している。各接合部８,９の前側と後側には、それぞれテーパー面８a,８b,９a,９bを形成している。しかも、各接合部８,９の先端部の下部には、前後方向と外側方と下方とが開口する連通部形成凹部８c,９cを形成している。
【００５２】
複数のブロック本体1,1は、図２に示すように、左右方向に伸延する略同一直線上にて接続状態に配置することができ、この際、左側のブロック本体１の接合部９と右側のブロック本体１の接合部８とを突き合わせ状態に接合させるようにしている。
【００５３】
この際、接合した接合部８,９と左側のブロック本体１の右側壁７と右側のブロック本体１の左側壁６とにより、前方と上・下方向に開口した前方空間Ｓ６が形成されるようにしている。そして、接合した接合部８,９には、連通部形成凹部８c,９cが符合して、前後方向に貫通する横方向の連通路１０が形成されるとともに、連通路１０は、前方空間Ｓ６と後方の裏込め空間Ｓ７とを連通させる。
【００５４】
〔擁壁Ｙの構造及び構築方法〕
図１及び図２に示すように、基礎地盤である河床Ｋ１に、凹部として擁壁延設方向に伸延する凹条部１９を形成して、凹条部１９内に基礎部Ｂを配設している。そして、凹条部１９の底部には、底部支持材を敷設するとともに転圧して底部層２０を形成している。ここで、底部支持材としては、内部摩擦角が前記河床Ｋ１を成形する地盤材と同等ないしはそれよりも大きい粒径材Ｄ２（例えば、砕石）を使用する。底部層２０上に配置した基礎部用滑動防止体２３は、端面縦長四角形で擁壁延設方向に伸延する板状に形成している。２４,２５は粒径材を充填・転圧して形成した前・後部粒径材層である。粒径材としては、砂混じりの礫、砕石、ぐり石、コンクリート破砕片等を使用する。
【００５５】
そして、前・後部粒径材層２４,２５上に、最下段の擁壁ブロックＡ１であるブロック本体１を載置し、ブロック本体１の前・後壁４,５間に、前・後部粒径材層２４,２５の上面から上方に突出している上記基礎部用滑動抵抗体２３の上半部を配置し、ブロック本体１の前壁４と基礎部用滑動抵抗体２３の上半部との間に形成される空間に、拘束層形成材としての塊状物Ｄ１を充填して前部拘束層２８を形成するとともに、基礎部用滑動抵抗体２３の上半部とブロック本体１の後壁５との間に形成される空間に、塊状物Ｄ１を充填して後部拘束層２９を形成している。そして、ブロック本体１と切土面Ｊとの間に形成される裏込め空間Ｓ７内に裏込め材として塊状物Ｄ１を充填している。
【００５６】
上記のように構成した基礎部Ｂの最下段の擁壁ブロックＡ１上に、魚巣用の擁壁ブロックＡ１を数段（本実施の形態では２段）だけ背後地面としての川岸Ｋ３の法面に沿わせて階段状に段積みしている。各胴込め空間Ｓ１内及び背後の裏込め空間Ｓ７内には、胴込め材ないしは裏込め材として塊状物Ｄ１を充填している。
【００５７】
さらにその上に植生用の擁壁ブロックＡ２を数段（本実施の形態では３段）だけ背後地面としての川岸Ｋ３の法面に沿わせて階段状に段積みしている。各洗掘防止空間Ｓ２内には塊状物Ｄ１を詰め込み、残余の胴込め空間Ｓ１内及び背後の裏込め空間Ｓ７内には、胴込め材ないしは裏込め材として粒径材Ｄ２を充填している。
【００５８】
そして、上下方向に隣接する各擁壁ブロックＡ１，Ａ２の境界部の間に、それぞれ境界部用滑動抵抗体３０を配設して、各擁壁ブロックＡ１，Ａ２の滑動抵抗力を強化している。
【００５９】
〔植栽施工の工程説明〕
次に、擁壁Ｙを構築する際に、植生用の擁壁ブロックＡ２に植物としてのネコヤナギＮを植栽する場合の施工工程を説明する。ここで、胴込め材には保水性を有し、客土材としても機能する粒径材を客土材として採用している。
【００６０】
図８は第１植栽工程の説明図であり、次の工程を有する。
（１）図８（ａ）に示すように、客土空間Ｓ３内に粒径材Ｄ２を充填する前にネコヤナギＮを前壁４ないしは左・右側壁６,７に凭れ状に立て掛けるようにして配置する工程。
（２）図８（ｂ）に示すように、ネコヤナギＮを配置した状態で、客土空間Ｓ３内及び裏込め空間Ｓ７内に客土材である粒径材Ｄ２を第１レベルＬ１まで充填する工程。ここで、第１レベルＬ１とは、左・右側壁６,７の各段付き嵌合用凹部１６,１７の下端縁部と同一のレベル（同一地上高）である。
（３）図８（ｃ）に示すように、第１レベルＬ１まで充填した粒径材Ｄ２上の所定の位置に仕切体３を配置して洗掘防止空間Ｓ２を形成する工程。
（４）図８（ｃ）に示すように、仕切体３の背後に形成される残余の客土空間Ｓ３内及び裏込め空間Ｓ７内に粒径材Ｄ２を第２レベルＬ２まで充填する工程。ここで、第２レベルＬ２とは、前壁４の高さと同一のレベル（同一地上高）である。
（５）図８（ｃ）に示すように、洗掘防止空間Ｓ２内に洗掘防止材として複数の塊状部Ｄ１を詰め込む工程。
（６）仕切体３上に上段のブロック本体１が有する前壁４の下端部を上下重合状態に配置するとともに、下段のブロック本体１内に形成した洗掘防止空間Ｓ２の開放部１４を前壁４の下端部により一部閉塞して、上段のブロック本体１を階段状に段積みすることで、洗掘防止空間Ｓ２内に詰め込んだ塊状物Ｄ１が流出しないようにする工程。
【００６１】
かかる第１植栽工程では、擁壁Ｙの構築において、客土材を充填する際には、あらかじめネコヤナギＮを擁壁ブロックＡ２内に配置するだけで、粒径材Ｄ２の充填作業と植栽作業とを同時に進行させることができる。その結果、植栽に要する時間とコストを大幅に削減することができる。
【００６２】
図９は第２植栽工程の説明図であり、次の工程を有する。
（１）図９（ａ）に示すように、ネコヤナギＮの茎の長さ（丈）が擁壁ブロックの前壁の高さよりも短い場合には、あらかじめ客土空間Ｓ３内及び裏込め空間Ｓ７内に客土材である粒径材Ｄ２を第３レベルＬ３まで充填する工程。ここで、第３レベルＬ３とは、ネコヤナギＮの上部をブロック本体１から上方に突出させるのに適度なレベル（所要の地上高）である。
（２）図９（ａ）に示すように、客土空間Ｓ３内に粒径材Ｄ２を充填する前にネコヤナギＮを前壁４ないしは左・右側壁６,７に凭れ状に立て掛けるようにして配置する工程。
（３）図９（ｂ）に示すように、ネコヤナギＮを配置した状態で、残余の客土空間Ｓ３内及び裏込め空間Ｓ７内に粒径材Ｄ２を所定の高さである第１レベルＬ１まで充填する工程。
（４）図９（ｃ）に示すように、第１レベルＬ１まで充填した粒径材Ｄ２上の所定の位置に仕切体３を配置して洗掘防止空間Ｓ２を形成する工程。
（５）図９（ｃ）に示すように、仕切体３の背後に形成される残余の客土空間Ｓ３内及び裏込め空間Ｓ７内に粒径材Ｄ２を第２レベルＬ２まで充填する工程。
（６）図９（ｃ）に示すように、洗掘防止空間Ｓ２内に洗掘防止材として複数の塊状部Ｄ１を詰め込む工程。
（７）仕切体３上に上段のブロック本体１が有する前壁４の下端部を上下重合状態に配置するとともに、下段のブロック本体１内に形成した洗掘防止空間Ｓ２の開放部１４を前壁４の下端部により一部閉塞して、上段のブロック本体１を階段状に段積みすることで、洗掘防止空間Ｓ２内に詰め込んだ塊状物Ｄ１が流出しないようにする工程。
【００６３】
かかる第２植栽工程では、擁壁Ｙを構築する際に、育成するネコヤナギＮの茎の長さ（丈）がブロック本体１の前壁４の高さよりも短い場合には、あらかじめ客土空間Ｓ３内に粒径材Ｄ２を所要の高さまで充填しておくことで、ネコヤナギＮを擁壁ブロックＡ２内に配置するだけで茎の長さ（丈）に見合った植栽が簡単にできる。
【００６４】
図１０は第３植栽工程の説明図であり、次の工程を有する。かかる工程は、ネコヤナギＮの茎の長さ（丈）が擁壁ブロックの前壁の高さよりもかなり短い場合に採用する。
（１）図１０（ａ）に示すように、客土空間Ｓ３内及び裏込め空間Ｓ７内に客土材である粒径材Ｄ２を第１レベルＬ１まで充填する工程。
（２）図１０（ａ）に示すように、第１レベルＬ１まで充填した粒径材Ｄ２上の所定の位置に仕切体３を配置して洗掘防止空間Ｓ２を形成する工程。
（３）図１０（ａ）に示すように、仕切体３の背後に形成される残余の客土空間Ｓ３内及び裏込め空間Ｓ７内に粒径材Ｄ２を第２レベルＬ２まで充填する工程。
（４）図１０（ｂ）に示すように、ネコヤナギＮの下端部を客土空間Ｓ３内に充填した粒径材Ｄ２中に差し込む工程。
（５）図１０（ｃ）に示すように、洗掘防止空間Ｓ２内に洗掘防止材として複数の塊状部Ｄ１を詰め込む工程。
（６）仕切体３上に上段のブロック本体１が有する前壁４の下端部を上下重合状態に配置するとともに、下段のブロック本体１内に形成した洗掘防止空間Ｓ２の開放部１４を前壁４の下端部により一部閉塞して、上段のブロック本体１を階段状に段積みすることで、洗掘防止空間Ｓ２内に詰め込んだ塊状物Ｄ１が流出しないようにする工程。
【００６５】
かかる第３植栽工程では、植栽するネコヤナギＮの下端部を洗掘防止空間Ｓ２を通して擁壁ブロックＡ２内の粒径材Ｄ２中に差し込むことにより、ネコヤナギＮの茎の長さ（丈）が擁壁ブロックの前壁の高さよりもかなり短い場合でも、簡単に植栽することができる。
【００６６】
従来は擁壁の構築作業を完了させた後に植栽作業を行っていた。つまり、擁壁構築施工と植栽施工を別々に行っていた。しかし、本実施形態では前記した第１〜第３植栽工程のように、客土材を充填する際に、あらかじめネコヤナギＮを擁壁ブロックＡ２内に配置することにより、粒径材Ｄ２の充填作業と植栽作業を同時に一連の作業として進行することができる。そのため、擁壁Ｙの構築作業を完了させると同時に植栽作業も完了させることができて、植栽作業に要していた時間とコストを大幅に削減することができる。その結果、擁壁Ｙの構築作業と植栽作業の効率化を図ることができる。
また、植栽物を配置する工程の順番を遅らせることにより、植物の丈に見合った植栽環境が提供できるため植栽の幅が広がる。
なお、上記した第１〜第３植栽工程において、粒径材Ｄ２を充填した直後に必要であれば粒径材Ｄ２層（客土材層）を適度に転圧してもよい。
符号の説明
【００６７】
Ａ１  魚巣用の擁壁ブロック
Ａ２  植生用の擁壁ブロック
Ｂ  基礎部
Ｙ  擁壁
１  ブロック本体
４  前壁
５  後壁
６  左側壁
７  右側壁
【図１】
2011152495.tif 000003
【図２】
2011152495.tif 000004
【図３】
2011152495.tif 000005
【図４】
2011152495.tif 000006
【図５】
2011152495.tif 000007
【図６】
2011152495.tif 000008
【図７】
2011152495.tif 000009
【図８】
2011152495.tif 000010
【図９】
2011152495.tif 000011
【図１０】
2011152495.tif 000012
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
上面に開口部を有しかつ内部に胴込め空間を有する複数の擁壁ブロックを階段状に段積みして、下段に位置する擁壁ブロックの上面の一部が外部空間に直面するように構築する擁壁構造であって、
胴込め材を充填して胴込め空間を形成する際には、外部空間と直面する胴込め材の上層部に、形状および寸法が不特定な塊状物である砕石やぐり石やコンクリートガラを詰め込んで、これらの塊状物により塊状物直下の胴込め材が洗堀されるのを防止する洗堀防止空間を形成したことを特徴とする擁壁構造。
【請求項２】
胴込め空間内に保水性を有する粒径材を充填して客土空間を形成するとともに、詰め込まれた塊状物間に生起される多様な隙間が客土空間と外部空間とをつなぐ屈曲連通路となって植生空間の一部として活かされることを特徴とする請求項１記載の擁壁構造。
【請求項３】
塊状物の最大径は外部空間に直面する擁壁ブロックの開口部の一部の前後幅よりも大となすことで、塊状物が開口部を通して外部に流出されるのを防止したことを特徴とする請求項１又は２記載の擁壁構造。
【請求項４】
上面に開口部を有しかつ内部に胴込め空間を有する擁壁ブロックは、少なくとも前・後壁と両前・後壁を連結する連結体とを具備し、胴込め空間の上部には前壁の上部と対向させて仕切体を配置して、仕切体と前壁の上部との間に洗掘防止空間を形成したことを特徴とする請求項１〜３のいずれか１項記載の擁壁構造。
【請求項５】
上段の擁壁ブロックの前壁下端部は、直下段の擁壁ブロック内に配設した仕切体上に上下重合状態に配置するとともに、前壁下端部により洗掘防止空間の開口上面を一部閉塞して、前壁下端部の底面で塊状物の上面を覆うことで、洗掘防止空間内に詰め込んだ複数の塊状物が洗掘防止空間の開口上面を通して擁壁ブロックの外部へ流出されるのを防止したことを特徴とする請求項１〜４のいずれか１項記載の擁壁構造。
【請求項６】
擁壁ブロックの前壁は、前低後高の後傾板状となして、洗掘防止空間を上方に向かって漸次幅狭の空間となすことで、洗掘防止空間内に詰め込んだ複数の塊状物が開放部を通して擁壁ブロックの外部へ流出されるのを防止したことを特徴とする請求項１〜５のいずれか１項記載の擁壁構造。
【請求項７】
洗掘防止空間の開口上面より流入した雨水等は、洗掘防止空間を通して客土空間に流入し、直下段の擁壁ブロックの客土空間に順次流入するようにしたことを特徴とする請求項２〜６のいずれか１項記載の擁壁構造。
【請求項８】
請求項４〜７のいずれか１項記載の擁壁構造を構築する植栽可能な擁壁構築法であって、
植物を擁壁ブロック内に配置する工程と、
植物を配置した状態で客土空間内に客土材を所定の高さまで充填する工程と、
客土材上に仕切体を配置して洗掘防止空間を形成する工程と、
残余の客土空間内に客土材を充填する工程と、
洗掘防止空間内に洗掘防止材として複数の塊状部を詰め込む工程と、
を有することを特徴とする植栽可能な擁壁構築法。
【請求項９】
請求項４〜７のいずれか１項記載の擁壁構造を構築する植栽可能な擁壁構築法であって、
客土空間内に客土材を所要の高さまで充填する工程と、
植物を擁壁ブロック内の客土材上に配置する工程と、
植物を配置した状態で残余の客土空間内に客土材を所定の高さまで充填する工程と、
客土材上に仕切体を配置して洗掘防止空間を形成する工程と、
残余の客土空間内に客土材を充填する工程と、
洗掘防止空間内に洗掘防止材として複数の塊状部を詰め込む工程と、
を有することを特徴とする植栽可能な擁壁構築法。
【請求項１０】
請求項４〜７のいずれか１項記載の擁壁構造を構築する植栽可能な擁壁構築法であって、
客土空間内に客土材を所定の高さまで充填する工程と、
客土材上に仕切体を配置して洗掘防止空間を形成する工程と、
残余の客土空間内に客土材を充填する工程と、
植物を洗掘防止空間を通して擁壁ブロック内の客土材中に差し込む工程と、
洗掘防止空間内に洗掘防止材として複数の塊状部を詰め込む工程と、
を有することを特徴とする植栽可能な擁壁構築法。
【手続補正２】
【補正対象書類名】明細書
【補正対象項目名】０００６
【補正方法】変更
【補正の内容】
【０００６】
請求項１記載の発明に係る擁壁構造は、上面に開口部を有しかつ内部に胴込め空間を有する複数の擁壁ブロックを階段状に段積みして、下段に位置する擁壁ブロックの上面の一部が外部空間に直面するように構築する擁壁構造であって、胴込め材を充填して胴込め空間を形成する際には、外部空間と直面する胴込め材の上層部に、形状および寸法が不特定な塊状物である砕石やぐり石やコンクリートガラを詰め込んで、これらの塊状物により塊状物直下の胴込め材が洗堀されるのを防止する洗堀防止空間を形成したことを特徴とする。 
【手続補正３】
【補正対象書類名】明細書
【補正対象項目名】０００７
【補正方法】変更
【補正の内容】
【０００７】
かかる擁壁構造では、形状および寸法が不特定な洗掘防止材としての塊状物である砕石やぐり石やコンクリートガラを胴込め空間の上層部に詰め込むことにより、胴込め材が外部空間と直面しない構造としている。従って、河川が増水した場合にも洗掘防止材としての塊状物により胴込め材が洗堀されるのを防止することができる。
【手続補正４】
【補正対象書類名】明細書
【補正対象項目名】０００８
【補正方法】変更
【補正の内容】
【０００８】
請求項２記載の発明に係る擁壁構造は、請求項１記載の発明に係る擁壁構造であって、胴込め空間内に保水性を有する粒径材を充填して客土空間を形成するとともに、詰め込まれた塊状物間に生起される多様な隙間が客土空間と外部空間とをつなぐ屈曲連通路となって植生空間の一部として活かされることを特徴とする。
【手続補正５】
【補正対象書類名】明細書
【補正対象項目名】０００９
【補正方法】変更
【補正の内容】
【０００９】
かかる擁壁構造では、擁壁としての重要な役割を担う胴込め材に保水性を有する粒径材を用いて客土空間を形成する。さらに、客土空間の上部に塊状物である前記砕石やぐり石やコンクリートガラ（以下「ぐり石等」という）を詰め込むことによって、客土空間の粒径材が洗掘・流出されるのを防止できるようにしている。
また、詰め込まれたこれらのぐり石等の塊状物は、形状・サイズが不特定であるため塊状物と塊状物との間には必然的に多様な隙間が生起される。そして、これらの隙間を客土空間と外部空間とにつながる屈曲連通路として活かした構造にしている。形状・サイズが不特定な塊状物と塊状物との間に生起されるこれらの屈曲連通路は、屈曲連通路内に存在する樹木の幹径が太くなって屈曲連通路の間隙が窮屈になると、樹木の幹部が各ぐり石等を周囲に押しやって屈曲連通路が少しずつ(大径に)変形されるため、屈曲連通路内に存在する樹木の幹径が太くなっても、樹木の生育を阻害しない構造となっている。もし、連通路(孔)がコンクリートで形成されると、連通路の孔径は固定されているため、連通路内に存在する樹木の幹径が太くなると、樹木の生育は著しく阻害されることになる。
本発明に係る擁壁構造は、客土空間の上部に詰め込んだ塊状物により粒径材が洗掘・流出されるのを防止すると共に、塊状物間に生起される多様な隙間を植生空間の一部として活かしたもので、いわば護岸機能と植生機能が合体した構造となっている。
【手続補正６】
【補正対象書類名】明細書
【補正対象項目名】００１０
【補正方法】変更
【補正の内容】
【００１０】
請求項３記載の発明に係る擁壁構造は、請求項１又は２記載の発明に係る擁壁構造であって、塊状物の最大径は外部空間に直面する擁壁ブロックの開口部の一部の前後幅よりも大となすことで、塊状物が開口部を通して外部に流出されるのを防止したことを特徴とする。
【手続補正７】
【補正対象書類名】明細書
【補正対象項目名】００１１
【補正方法】変更
【補正の内容】
【００１１】
かかる擁壁構造では、塊状物の最大径は外部空間に直面する擁壁ブロックの開口部の一部の前後幅よりも大となすことで、河川が増水した場合にも塊状物が開口部を通して外部に流出されるのを防止している。これは、流水に流出され難いサイズの塊状物で外部と直面する胴込め空間の上層部を層状に被覆することにより、河川が増水した場合にも、河川の流水により胴込め材が洗堀されるのを防止するものである。その結果、上層部に詰め込まれた塊状物によって下層部の胴込め材が洗堀されるのを堅実に防止することができる。ここで、塊状物の最大径とは、塊状物１個の最長軸の長さ（最長径ないしは最大寸法）をいう。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項４記載の発明に係る擁壁構造は、請求項１〜３のいずれか１項記載の擁壁構造であって、上面に開口部を有しかつ内部に胴込め空間を有する擁壁ブロックは、少なくとも前・後壁と両前・後壁を連結する連結体とを具備し、胴込め空間の上部には前壁の上部と対向させて仕切体を配置して、仕切体と前壁の上部との間に洗掘防止空間を形成したことを特徴とする。
【手続補正１１】
【補正対象書類名】明細書
【補正対象項目名】００１６
【補正方法】変更
【補正の内容】
【００１６】
請求項５記載の発明に係る擁壁構造は、請求項１〜４のいずれか１項記載の擁壁構造であって、上段の擁壁ブロックの前壁下端部は、直下段の擁壁ブロック内に配設した仕切体上に上下重合状態に配置するとともに、前壁下端部により洗掘防止空間の開口上面を一部閉塞して、前壁下端部の底面で塊状物の上面を覆うことで、洗掘防止空間内に詰め込んだ複数の塊状物が洗掘防止空間の開口上面を通して擁壁ブロックの外部へ流出されるのを防止したことを特徴とする。
【手続補正１２】
【補正対象書類名】明細書
【補正対象項目名】００１８
【補正方法】変更
【補正の内容】
【００１８】
請求項６記載の発明に係る擁壁構造は、請求項１〜５のいずれか１項記載の擁壁構造で
あって、擁壁ブロックの前壁は、前低後高の後傾板状となして、洗掘防止空間を上方に向かって漸次幅狭の空間となすことで、洗掘防止空間内に詰め込んだ複数の塊状物が開放部を通して擁壁ブロックの外部へ流出されるのを防止したことを特徴とする。
【手続補正１３】
【補正対象書類名】明細書
【補正対象項目名】００２０
【補正方法】変更
【補正の内容】
【００２０】
請求項７記載の発明に係る擁壁構造は、請求項２〜６のいずれか１項記載の擁壁構造で
あって、洗掘防止空間の開口上面より流入した雨水等は、洗掘防止空間を通して客土空間に流入し、直下段の擁壁ブロックの客土空間に順次流入するようにしたことを特徴とする。
【手続補正１４】
【補正対象書類名】明細書
【補正対象項目名】００２１
【補正方法】変更
【補正の内容】
【００２１】
かかる擁壁構造では、各擁壁ブロックの洗掘防止空間内に流入した雨水等が、客土空間内→直下段の擁壁ブロックの客土空間内→さらにその直下段の擁壁ブロックの客土空間内に排水できるようにしている。その結果、客土空間内の客土は良好な保水・排水・通気性を確保して、より良い植生機能を維持することができる。
【手続補正１５】
【補正対象書類名】明細書
【補正対象項目名】００２２
【補正方法】変更
【補正の内容】
【００２２】
請求項８記載の発明に係る植栽可能な擁壁構築法は、請求項４〜７のいずれか１項記載の擁壁構造を構築する植栽可能な擁壁構築法であって、植物を擁壁ブロック内に配置する工程と、植物を配置した状態で客土空間内に客土材を所定の高さまで充填する工程と、客土材上に仕切体を配置して洗掘防止空間を形成する工程と、残余の客土空間内に客土材を充填する工程と、洗掘防止空間内に洗掘防止材として複数の塊状部を詰め込む工程と、を有することを特徴とする。
【手続補正１６】
【補正対象書類名】明細書
【補正対象項目名】００２４
【補正方法】変更
【補正の内容】
【００２４】
請求項９記載の発明に係る植栽可能な擁壁構築法は、請求項４〜７のいずれか１項記載の擁壁構造を構築する植栽可能な擁壁構築法であって、客土空間内に客土材を所要の高さまで充填する工程と、植物を擁壁ブロック内の客土材上に配置する工程と、植物を配置した状態で残余の客土空間内に客土材を所定の高さまで充填する工程と、客土材上に仕切体を配置して洗掘防止空間を形成する工程と、残余の客土空間内に客土材を充填する工程と、洗掘防止空間内に洗掘防止材として複数の塊状部を詰め込む工程と、を有することを特徴とする。
【手続補正１７】
【補正対象書類名】明細書
【補正対象項目名】００２６
【補正方法】変更
【補正の内容】
【００２６】
請求項１０記載の発明に係る植栽可能な擁壁構築法は、請求項４〜７のいずれか１項記載の擁壁構造を構築する植栽可能な擁壁構築法であって、客土空間内に客土材を所定の高さまで充填する工程と、客土材上に仕切体を配置して洗掘防止空間を形成する工程と、残余の客土空間内に客土材を充填する工程と、植栽する植物を客土材の中に差し込む工程と、洗掘防止空間内に洗掘防止材として複数の塊状部を詰め込む工程と、を有することを特徴とする。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
上面に開口部を有しかつ内部に胴込め空間を有する複数の擁壁ブロックを階段状に段積みして、下段に位置する擁壁ブロックの上面の一部が外部空間に直面するように構築する擁壁構造であって、
胴込め材を充填して胴込め空間を形成する際には、外部空間と直面する胴込め材の上層部に、形状および寸法が不特定な塊状物である砕石やぐり石やコンクリートガラを詰め込んで、これらの塊状物により塊状物直下の胴込め材が洗堀されるのを防止する洗堀防止空間を形成し、
擁壁ブロックの前壁は、前低後高の後傾板状となして、洗掘防止空間を上方に向かって漸次幅狭の空間となすことで、洗掘防止空間内に詰め込んだ複数の塊状物が開放部を通して擁壁ブロックの外部へ流出されるのを防止したことを特徴とする擁壁構造。
【請求項２】
胴込め空間内に保水性を有する粒径材を充填して客土空間を形成するとともに、詰め込まれた塊状物間に生起される多様な隙間が客土空間と外部空間とをつなぐ屈曲連通路となって植生空間の一部として活かされることを特徴とする請求項１記載の擁壁構造。
【請求項３】
塊状物の最大径は外部空間に直面する擁壁ブロックの開口部の一部の前後幅よりも大となすことで、塊状物が開口部を通して外部に流出されるのを防止したことを特徴とする請求項１又は２記載の擁壁構造。
【請求項４】
上面に開口部を有しかつ内部に胴込め空間を有する擁壁ブロックは、少なくとも前・後壁と両前・後壁を連結する連結体とを具備し、胴込め空間の上部には前壁の上部と対向させて仕切体を配置して、仕切体と前壁の上部との間に洗掘防止空間を形成したことを特徴とする請求項１〜３のいずれか１項記載の擁壁構造。
【請求項５】
上段の擁壁ブロックの前壁下端部は、直下段の擁壁ブロック内に配設した仕切体上に上下重合状態に配置するとともに、前壁下端部により洗掘防止空間の開口上面を一部閉塞して、前壁下端部の底面で塊状物の上面を覆うことで、洗掘防止空間内に詰め込んだ複数の塊状物が洗掘防止空間の開口上面を通して擁壁ブロックの外部へ流出されるのを防止したことを特徴とする請求項１〜４のいずれか１項記載の擁壁構造。
【請求項６】
洗掘防止空間の開口上面より流入した雨水等は、洗掘防止空間を通して客土空間に流入し、直下段の擁壁ブロックの客土空間に順次流入するようにしたことを特徴とする請求項１〜５のいずれか１項記載の擁壁構造。
【請求項７】
請求項４〜６のいずれか１項記載の擁壁構造を構築する植栽可能な擁壁構築法であって、
植物を擁壁ブロック内に配置する工程と、
植物を配置した状態で客土空間内に客土材を所定の高さまで充填する工程と、
客土材上に仕切体を配置して洗掘防止空間を形成する工程と、
残余の客土空間内に客土材を充填する工程と、
洗掘防止空間内に洗掘防止材として複数の塊状部を詰め込む工程と、
を有することを特徴とする植栽可能な擁壁構築法。
【請求項８】
請求項４〜６のいずれか１項記載の擁壁構造を構築する植栽可能な擁壁構築法であって、
客土空間内に客土材を所要の高さまで充填する工程と、
植物を擁壁ブロック内の客土材上に配置する工程と、
植物を配置した状態で残余の客土空間内に客土材を所定の高さまで充填する工程と、
客土材上に仕切体を配置して洗掘防止空間を形成する工程と、
残余の客土空間内に客土材を充填する工程と、
洗掘防止空間内に洗掘防止材として複数の塊状部を詰め込む工程と、
を有することを特徴とする植栽可能な擁壁構築法。
【請求項９】
請求項４〜６のいずれか１項記載の擁壁構造を構築する植栽可能な擁壁構築法であって、
客土空間内に客土材を所定の高さまで充填する工程と、
客土材上に仕切体を配置して洗掘防止空間を形成する工程と、
残余の客土空間内に客土材を充填する工程と、
植物を洗掘防止空間を通して擁壁ブロック内の客土材中に差し込む工程と、
洗掘防止空間内に洗掘防止材として複数の塊状部を詰め込む工程と、
を有することを特徴とする植栽可能な擁壁構築法。
【手続補正２】
【補正対象書類名】明細書
【補正対象項目名】０００６
【補正方法】変更
【補正の内容】
【０００６】
請求項１記載の発明に係る擁壁構造は、上面に開口部を有しかつ内部に胴込め空間を有する複数の擁壁ブロックを階段状に段積みして、下段に位置する擁壁ブロックの上面の一部が外部空間に直面するように構築する擁壁構造であって、胴込め材を充填して胴込め空間を形成する際には、外部空間と直面する胴込め材の上層部に、形状および寸法が不特定な塊状物である砕石やぐり石やコンクリートガラを詰め込んで、これらの塊状物により塊状物直下の胴込め材が洗堀されるのを防止する洗堀防止空間を形成し、擁壁ブロックの前壁は、前低後高の後傾板状となして、洗掘防止空間を上方に向かって漸次幅狭の空間となすことで、洗掘防止空間内に詰め込んだ複数の塊状物が開放部を通して擁壁ブロックの外部へ流出されるのを防止したことを特徴とする。
【手続補正３】
【補正対象書類名】明細書
【補正対象項目名】０００７
【補正方法】変更
【補正の内容】
【０００７】
かかる擁壁構造では、形状および寸法が不特定な洗掘防止材としての塊状物である砕石やぐり石やコンクリートガラを胴込め空間の上層部に詰め込むことにより、胴込め材が外部空間と直面しない構造としている。従って、河川が増水した場合にも洗掘防止材としての塊状物により胴込め材が洗堀されるのを防止することができる。
そして、擁壁ブロックの前壁を、前低後高の後傾状となしているため、開口上面の前後の間隔を従来の垂直状の前壁を具備する擁壁ブロックに比して、傾斜板状となした前壁の平面投影前後幅だけ小さく設定することができる。そのため、洗掘防止空間を上方に向かって漸次幅狭の空間となすことができる。その結果、洗掘防止空間内に詰め込んだ複数の塊状物が増水した河川により洗掘防止空間の開口上面から流出されるのをより堅実に防止することができる。また、傾斜板状となした前壁にはその外面に沿って雨水等が流下して、開口上面を通して洗掘防止空間内さらには客土空間内に円滑かつ堅実に流入するため、擁壁ブロック内の植生機能を良好に確保するとことができる。更に、植栽した擁壁ブロックの直上方に段積みした擁壁ブロックの前壁は、前低後高に後傾しているため、植物が成長するために必要な外部空間が拡大されることになって、植物の成長ゾーンをより広く確保することができる。
【手続補正４】
【補正対象書類名】明細書
【補正対象項目名】００２０
【補正方法】変更
【補正の内容】
【００２０】
請求項６記載の発明に係る擁壁構造は、請求項１〜５のいずれか１項記載の擁壁構造で
あって、洗掘防止空間の開口上面より流入した雨水等は、洗掘防止空間を通して客土空間に流入し、直下段の擁壁ブロックの客土空間に順次流入するようにしたことを特徴とする。
【手続補正５】
【補正対象書類名】明細書
【補正対象項目名】００２２
【補正方法】変更
【補正の内容】
【００２２】
請求項７記載の発明に係る植栽可能な擁壁構築法は、請求項４〜６のいずれか１項記載の擁壁構造を構築する植栽可能な擁壁構築法であって、植物を擁壁ブロック内に配置する工程と、植物を配置した状態で客土空間内に客土材を所定の高さまで充填する工程と、客土材上に仕切体を配置して洗掘防止空間を形成する工程と、残余の客土空間内に客土材を充填する工程と、洗掘防止空間内に洗掘防止材として複数の塊状部を詰め込む工程と、を有することを特徴とする。
【手続補正６】
【補正対象書類名】明細書
【補正対象項目名】００２４
【補正方法】変更
【補正の内容】
【００２４】
請求項８記載の発明に係る植栽可能な擁壁構築法は、請求項４〜６のいずれか１項記載の擁壁構造を構築する植栽可能な擁壁構築法であって、客土空間内に客土材を所要の高さまで充填する工程と、植物を擁壁ブロック内の客土材上に配置する工程と、植物を配置した状態で残余の客土空間内に客土材を所定の高さまで充填する工程と、客土材上に仕切体を配置して洗掘防止空間を形成する工程と、残余の客土空間内に客土材を充填する工程と、洗掘防止空間内に洗掘防止材として複数の塊状部を詰め込む工程と、を有することを特徴とする。
【手続補正７】
【補正対象書類名】明細書
【補正対象項目名】００２６
【補正方法】変更
【補正の内容】
【００２６】
請求項９記載の発明に係る植栽可能な擁壁構築法は、請求項４〜６のいずれか１項記載の擁壁構造を構築する植栽可能な擁壁構築法であって、客土空間内に客土材を所定の高さまで充填する工程と、客土材上に仕切体を配置して洗掘防止空間を形成する工程と、残余の客土空間内に客土材を充填する工程と、植栽する植物を客土材の中に差し込む工程と、洗掘防止空間内に洗掘防止材として複数の塊状部を詰め込む工程と、を有することを特徴とする。
【国際調査報告】
2011152495.tif 000013
2011152495.tif 000014